(57)【特許請求の範囲】
【請求項１】
前端吸込開口の左右の側面部に一対の大径軸部が設けられている接続管と、後方に突出し且つ前後方向に延びる接続管軸を有する回転管が一体に設けられた吸込口本体と、前記回転管に前記接続管軸の回りに回動可能に取り付けられた接続リングと、前記接続リングの後部に一体に設けられ且つ前記一対の大径軸部をそれぞれ受ける半円状の軸受け部が設けられた下面側ピース部と、前記一対の大径軸部をそれぞれ受ける半円状の軸受け部が設けられ且つ前記下面側ピース部に取り付けられた上面側ピース部を備え、前記接続管の一対の大径軸部が前記下面側ピース部の一対の軸受け部と上面側ピース部の一対の軸受け部との間に回転自在に保持されていることを特徴とする吸込口体。
【請求項２】
前記下面側ピース部に設けられた一対の軸受け部は、前記接続管が後部上方に位置する状態で、前記大径軸部よりも下方に位置するように設けられていることを特徴とする請求項１記載の吸込口体。
【請求項３】
前記下面側ピース部は、前記接続管が後部上方に位置する状態で、前記大径軸部よりも下方に位置するように設けられていることを特徴とする請求項１記載の吸込口体。
【請求項４】
前記回転管の周面に周方向に延びる環状の溝部が形成され、前記接続管が前記大径軸部を中心に上下回動可能な状態において前記接続リングの上面部及び下面部に係止孔がそれぞれ設けられていると共に、前記各係止孔に取り付けた係止片が前記溝部に係合させられることにより、前記接続リングが前記回転管に前記接続管軸の回りに回動可能に保持されていることを特徴とする請求項１乃至３の何れか一項に記載の吸込口体。
【請求項５】
前記請求項１乃至４記載のうち何れか一項記載の吸込口体を用いたことを特徴とする電気掃除機。
【発明の詳細な説明】
【０００１】
【産業上の利用分野】
この発明は、接続管及び該接続管に接続された吸込口本体を有すると共に、接続管に対する吸込口本体の角度を様々な角度に変化させて、清掃性を向上させる様にした吸込口体及びこれを用いた電気掃除機に関する。
【０００２】
【従来の技術】
従来、図１１乃至図１６に示す電気掃除機が知られている（特開平１−３１４５３６号公報参照）。まず、構成から説明すると、図１１中符号１は掃除機本体で、この掃除機本体１の前部取り付け穴１ａには、蛇腹状のホース２の一端２ａが接続されている。このホース２の他端２ｂには、手元操作管３，合成樹脂製の連通管としての延長管４〜５及び接続管６が、相互に嵌着されて延設されている。このうち、前記手元操作管３には、把手部３a及び手元スイッチ部３ｂが設けられている。
【０００３】
そして、先端の接続管６には、吸込口本体７が接続されている。これらの接続管６と、吸込口本体７との接続部８には、図１２又は図１３に示すように、吸込口本体７を略３６０度接続管軸Ｊ方向周りで回転可能となるように左右回転接続部８ａが接続されている。
【０００４】
この左右回転接続部８ａの後方には、略半円弧状に後端面部９ａを切り欠いた接続管受け部９が、前記吸込口本体７側に設けられている。そして、前記接続管６先端に一体に形成された略円筒状の接続管部１０が、この接続管受け部９内に挿入されて、ネジ１１，１１等によって上下方向へ回動自在となるように軸支されている。この接続管部１０前端面には、吸込開口１０ａが形成されている。また、この接続管部１０ａの両側壁には、ネジ１１，１１を螺着するネジ孔１０ｂ，１０ｂが形成されている。
【０００５】
また、他の従来例として図１４に示すようなものも知られている。このようなものでは、前記接続管６と、吸込口本体７とを接続する接続部１２に、略球体状を呈して、後端面部１３ａが切り欠かれた接続管受け部１３が設けられていて、この接続管受け部１３に、前記接続管６先端に一体形成された略球体状の接続球体１４が嵌着されている。
【０００６】
このように構成された従来のものでは、前記左右回転接続部８ａ及び上下方向への回動を許容する接続管部１０又は、接続球体１４が、前記吸込口本体７の通常状態での進行方向後方に形成されているので、接続管６先端部の高さが低く押さえられて、例えば、図１２に示すように、高さｈが限定される箇所１５内へ、前記吸込口本体７を挿入して清掃することが出来る。
【０００７】
更に、図１５及び図１６は、前記左右回転接続部８ａの代えて左右回転接続部１６を前記上下方向への回動を許容する接続管部１０の後方位置である前記接続管６側に設けた一例を示している。
【０００８】
このようなものでは、左右回転接続部１６の前記吸込口本体側回転管１６ａに、環状の溝部１６ｂが形成されると共に、接続管６前端部に形成される接続管側接続リング６ｂには、通常清掃状態で左右方向側面部６ｃ，６ｃに、係止孔１６ｃ，１６ｃが一対形成されている。
【０００９】
そして、この係止孔１６ｃ，１６ｃ周縁に係止する接続部材１７，１７が設けられている。この接続部材１７，１７は、各々前記溝部１６ｂ内に一部１７ａ，１７ａが突設されて、前記接続管側接続リング６ｂに対する前記吸込口本体側回転管１６ａの回動を許容すると共に挿抜不能とするように構成されている。
【００１０】
【発明が解決しようとする課題】
しかしながら、図１３に示す従来の電気掃除機にあっては、前記接続管部１０の両側壁に形成されたネジ孔１０ｂ，１０ｂの周囲に例えば、図中二点鎖線で示す様な大径の回動軸１０ｄ，１０ｄを形成しても、前記吸込口本体７の後端縁部９ａ開口から、この接続管部１０を挿入して回動可能に嵌着させる事が出来ない。
【００１１】
このため、通常使用時に、使用者が吸込口本体７を床面等に押しつける力が、細軸のネジ１１，１１を介して、接続管受け部９のネジ穴９ｂ，９ｂ周縁に集中して、これらのネジ穴９ｂ，９ｂ周縁を破損させてしまう虞があった。
【００１２】
また、図１４に示す従来のものでは、接続管受け部１３内に、接続管６先端に一体形成された略球体状の接続球体１４が、回動自在に嵌着されるので、嵌着を許容する程度の大きさに前記後端面部１３ａの開口を拡開して形成すると、前記吸込口１４ａが、軸Ｊからの回動角度によっては露呈してしまい、気密性を損ねる。このため、単に接続球体１４を嵌着させる接続構造では、前記接続球体１４前端面に形成される吸込口１４ａを所定の大きさ以上に大きく設定することが困難であった。
【００１３】
更に、図１５及び図１６に示すような左右回転接続部１６が、接続管部１０の後方位置である前記接続管６側に設けられたものでは、接続部材１７，１７が一対、通常使用状態で、左右回転接続部１６の左右位置に設けられているので、精度によっては、使用者が床面等を押圧する力が前記吸込口本体７へ伝達される際に、上部の対向面６ｄ及び１６ｄ間を接触させる位置まで、前記接続部材１７，１７を支点として、回動させて下方を所定距離Ｌ１離間させてしまう虞もあった。
【００１４】
この発明は、上記問題点に鑑みてなされたもので、その目的は、所定の強度を確保しつつ、接続部の流路断面積を確保して、接続される吸込口本体の角度を様々な角度に変化させることが出来る吸込口本体の接続構造及び該接続構造を用いた電気掃除機を提供することにある。
【００１５】
【課題を解決するための手段】
上記目的を達成するために、請求項１に記載の発明の吸込口体は、前端吸込開口の左右の側面部に一対の大径軸部が設けられている接続管と、後方に突出し且つ前後方向に延びる接続管軸を有する回転管が一体に設けられた吸込口本体と、前記回転管に前記接続管軸の回りに回動可能に取り付けられた接続リングと、前記接続リングの後部に一体に設けられ且つ前記一対の大径軸部をそれぞれ受ける半円状の軸受け部が設けられた下面側ピース部と、前記一対の大径軸部をそれぞれ受ける半円状の軸受け部が設けられ且つ前記下面側ピース部に取り付けられた上面側ピース部を備え、前記接続管の一対の大径軸部が前記下面側ピース部の一対の軸受け部と上面側ピース部の一対の軸受け部との間に回転自在に保持されていることを特徴とする。
【００１６】
このように構成された請求項１記載のものでは、軸受け部が接続リングと一体に設けられているので、床面等への吸込口本体の押圧力は軸受け部から接続リングを介して分散されて前記吸込口本体へ伝えられる。
【００１７】
このため、従来のように、応力をネジ穴等に集中させることなく、所定の強度を確保しやすい形状とすることが出来る。
【００１８】
しかも前記接続管の一対の大径軸部が前記下面側ピース部の一対の軸受け部と上面側ピース部の一対の軸受け部との間に回転自在に保持されているので、前記接続管の前端吸込開口を広く形成しても、接続管を吸込口本体に組み付けることが出来て、流路断面積を容易に確保できる。
【００１９】
このため、接続される吸込口本体の角度の自由度が増大して、様々な角度に変化させることが出来、例えば、略直交させる等も出来る。
【００２０】
また、請求項２に記載の発明は、前記下面側ピース部に設けられた一対の軸受け部は、前記接続管が後部上方に位置する状態で、前記大径軸部よりも下方に位置するように設けられていることを特徴とする。
【００２１】
このように構成された請求項２記載のものでは、請求項１記載の発明の作用，効果に加えて、清掃時に加わる押圧力を接続リングと一体に設けられた軸受け部で直接受けるため、押圧力を受ける部材の強度を増大させることが出来る。
【００２２】
そして、請求項３に記載の発明は、前記接続管が後部上方に位置する状態で、前記大径軸部よりも下方に位置するように設けられていることを特徴とする。
【００２３】
このように構成された請求項３記載のものでは、請求項１記載の発明の作用，効果に加えて、清掃時に加わる押圧力を上面側ピース部の軸受け部では直接受けないため、上面側ピース部と接続リングとの間に押圧力が加わるのを極力抑えることが出来、この部分の破損を防止出来る。
【００２４】
更に、請求項４に記載の発明は、前記回転管の周面に周方向に延びる環状の溝部が形成され、前記接続管が前記大径軸部を中心に上下回動可能な状態において前記接続リングの上面部及び下面部に係止孔がそれぞれ設けられていると共に、前記各係止孔に取り付けた係止片が前記溝部に係合させられることにより、前記接続リングが前記回転管に前記接続管軸の回りに回動可能に保持されていることを特徴とする。
【００２５】
このように構成された請求項４記載のものでは、請求項１乃至３に記載の発明の作用，効果に加えて、前記接続管が前記大径軸部を中心に上下回動可能な状態において、前記係止孔が前記接続リングの上面又は下面に位置するように形成されているので、この部分の強度の低下を防止できる。
【００２６】
また、請求項５に記載されたものでは、前記請求項１乃至４記載のうち何れか一項記載の吸込口体の接続構造を用いた電気掃除機を特徴としている。
【００２７】
このように構成された請求項５記載のものでは、電気掃除機に、前記吸込口本体の接続構造が用いられているので、所定の強度を確保しつつ、接続部の流路断面積を確保して、接続される吸込口本体の角度を様々な角度に変化させることが出来る電気掃除機が提供される。
【００２８】
【実施の形態１】
以下、この発明に係わる電気掃除機の実施の形態１を図面に基づいて説明する。なお、従来例と同一乃至均等な部分については、同一符号を付して説明する。
【００２９】
まず、構成から説明すると、図１１中符号１は掃除機本体で、この掃除機本体１の前部取り付け穴１ａには蛇腹状のホース２の一端２ａが接続されている。このホース２の他端２ｂには手元操作管３が一体的に設けられている。また、この手元操作管３には連通管としての合成樹脂製の延長管４，５を介して吸込口体の接続管２０が接続されている。この手元操作管３と延長管４、延長管４，５、延長管５と接続管２０は、それぞれ相互に嵌着されている。このうち、手元操作管３には、把手部３a及び手元スイッチ部３ｂが設けられている。
【００３０】
吸込口体は、接続管２０と、接続管２０の先端部に接続された吸込口本体２１を有する。この吸込口本体２１の下面２１ａには塵芥吸込用の開口２１ｂが設けられている。この開口２１ｂは、接続管２０、延長管４，５、手元操作管３及び前記ホース２を介して電気掃除機本体１に設けられた集塵室１ｂに連通している。しかも、電動送風機１ｃの駆動によって、開口２１ｂに吸い込まれた塵芥は接続管２０、延長管４，５、手元操作管３及び前記ホース２を介して集塵室１ｂに吸い込まれるようになっている。また、この吸込口本体２１内には、前記吸入される空気を利用して回転する回転ブラシ２１ｃが、図７に示すように回動自在に枢着されている。
【００３１】
この接続管２０と吸込口本体２１は接続部２２で接続されている。この吸込口本体２１の後縁部の左右方向の略中央には、図２又は図３に示すように、吸込口本体２１を前後方向に延びる接続管軸Ｊ方向周りに略３６０度回転可能となるように接続管２０に接続する左右回転接続部２３が形成されている。
【００３２】
この左右回転接続部２３は、吸込口本体２１の後部から後方に向けて突出し且つ接続管軸Ｊが前後に延びる吸込口本体側回転管１６ａを有する。そして、この吸込口本体側回転管１６ａには、図３に示すように、環状の溝部１６ｂが形成されている。また、接続管２０の前端部には接続管側接続リング２４が設けられている。この接続管側接続リング２４には、通常清掃状態、すなわち、図１，図７に示すように接続管２０が後部上方に位置する状態で、図７，図８の如く軸Ｊの上，下方向外面部２４ａ，２４ｂに略対称に位置するように、長円状の係止孔２４ｃ，２４ｄが内側面まで貫通されて一対形成されている。尚、接続管側接続リング２４には吸込口本体側回転管１６ａが嵌合されている。
【００３３】
そして、この係止孔２４ｃ，２４ｄには、図５及び図６に示す係止片としての接続部材１７，１７が挿入されている。この接続部材１７，１７は、係止爪２４ｅ，２４ｅ及び突出片２４ｆ，２４ｆを備えている。しかも、この接続部材１７，１７は、係止爪２４ｅ，２４ｅを係止孔２４ｃ，２４ｄの周縁に係止させることにより、係止孔２４ｃ，２４ｄから挿抜不能となっている。この状態では、接続部材１７，１７の突出片２４ｆ，２４ｆが前記溝部１６ｂ内に突設されて、前記接続管側接続リング２４に対する前記吸込口本体側回転管１６ａの回動を許容する様になっている。
【００３４】
この左右回転接続部２３の前記軸Ｊに沿う後方位置には、上下方向接続部２５が設けられている。この上下方向接続部２５は、前記接続管２０の前端吸込開口２０ａの左右に設けられた両側面部２０ｂ，２０ｂと、この側面部２０ｂ，２０ｂに形成された一対の大径軸部２６，２６を有する。また、上下方向接続部２５は、樹脂成型品からなる下面側ピース部２７を有する。しかも、この下面側ピース部２７は、前記左右回転接続部２３の接続管側接続リング２４と一体に形成されている。更に、この下面側ピース部２７は、一対の大径軸部２６，２６を回動自在に受ける一対の下側軸受け片部２７ａ，２７ａを有する。この下側軸受け片部２７ａ，２７ａには、前記大径軸部２６，２６を摺接させる半円形状の軸受け部２７ｄ，２７ｄが一対形成されている。この下面側ピース部２７には、ストッパ２７ｃが形成されている。さらに、前記下面側ピース部２７はネジ孔２７ｂ，２７ｂを有する。
【００３５】
また、この下面側ピース部２７の上方には、図２に示すように、この下面側ピース部２７とは別体の上面側ピース部材２８が設けられている。この上面側ピース部材２８には、下面側ピース部２７の下側軸受け片部２７ａ，２７ａと共に、前記大径軸部２６，２６を上下方向から挟持する上側軸受け片２８ａ，２８ａが形成されている。また、上面側ピース部材２８は雌ネジ部２８ｂ，２８ｂを有する。しかも、上面側ピース部材２８は、固定ネジ部材２９，２９を前記下面側ピース部２７のネジ孔２７ｂ，２７ｂ下方から挿通すると共に、この挿通した固定ネジ部材２９，２９を雌ネジ部２８ｂ，２８ｂに螺着させることにより、前記下面側ピース部２７に固定されている。
【００３６】
この上側軸受け片部２８ａ，２８ａには、前記大径軸部２６，２６を摺接させる半円形状の軸受け部２８ｆ，２８ｆが、前記軸受け部２７ｄ，２７ｄに対向する位置に一対形成されている。
【００３７】
この上面側ピース部材２８の上面部には、切り欠き部２８ｃが形成されている。この切り欠き部２８ｃは、前記下部清掃面２１ａに対して、前記接続管２０軸Ｊが略垂直となる位置までの回動を許容するように、上面形状が前記吸込口本体２１方向へ略Ｕ字状に形成されている。そして、図８に示すように、略Ｕ字状の底部２８ｄに前記接続管２０の前面部を当接させる。また、前記下面側ピース部２７に形成されたストッパ２７ｃに、この前端吸込開口２０ａの下縁部に下側に向けて突設された係止片２０ｃを係止することにより、接続管軸Ｊが略垂直位置で停止するように構成されている。
【００３８】
更に、この前端吸込開口２０ａの上縁部に上側に向けて突設された係止片２０ｄを係止するストッパ２８ｅが、この上面側ピース部材２８の前記底部２８ｄ下面側に下方に突設されて設けられている。
【００３９】
次に、この実施の形態１の作用について説明する。
【００４０】
この実施の形態１では、上下に２分割形成される上面側ピース部材２８と下面側ピース部２７とのうち、前記下側軸受け片２７ａ，２７ａが、前記左右回転接続部２３の接続管側接続リング２４と一体に設けられる下面側ピース部２７に形成されているので、これらの手元操作管３，延長管４〜５及び接続管２０の自重又は使用者が、延長管４等から与える床面等への吸込口本体２１押圧力は、これらの下側軸受け片２７ａ，２７ａから、接続管側接続リング２４を介して分散されて前記吸込口本体２１方向へ伝えられる。
【００４１】
上下方向から挟持される前記大径軸部２６は、図７に示すその径ｄ１を、従来の図１３又は、図１６に示すような回動軸としての作用を行うネジ１１の径ｄ２，ｄ３よりも容易に大きく設定することが出来る。
【００４２】
このため、従来のように、応力をネジ穴等に集中させることなく、所定の強度を確保しやすい形状とすることが出来る。また、この大径軸部２６，２６を前記接続管２０の左，右側面部２０ｂ，２０ｂに一体成形しているので、従来必要とされたネジ１１，１１分、部品点数を削減することが出来る。
【００４３】
しかも、これらの上下方向回動接続部２５が、前記下側軸受け片２７ａ，２７ａが形成された下面側ピース部２７と、前記上面側ピース部材２８とよって２分割されて形成されているので、接続管２０前端の挟持される部分が大きくても組み付け可能となる。このため、これらの下面側ピース部２７と、前記上面側ピース部材２８とよって挟持される接続管２０の前端吸込開口２０ａを広く形成しても、組み付けることが出来て、流路断面積を容易に確保できる。
【００４４】
従って、接続される吸込口本体２１の接続管２０軸Ｊ方向に対する下部清掃面２１ａの角度の自由度が増大して、様々な角度に変化させることが出来、例えば、図８に示すように略垂直位置で停止させること等も出来る。この図８に示す状態では、前記左右回転接続部２３によって、軸Ｊを略垂直位置から更に、吸込口本体２１の左右方向に倒して、例えば、家具の隙間等の狭い箇所に吸込口本体２１の左，右長手方向を沿わせて挿入して清掃できる。この場合も、前端吸込開口２０ａが広く形成されているので、流路断面積の減少は殆ど無い。
【００４５】
また、前記下側軸受け片２７ａ，２７ａが、通常清掃状態で前記上下方向回動接続部２５の大径軸部２６，２６よりも下方に位置するように構成されているので、これらの下側軸受け片２７ａ，２７ａに伝達された押圧力は、前記接続管側接続リング２４との連設部分，この接続管側接続リング２４，前記下側に位置する接続部材１７，溝部１６ｄを介して押圧力として前記吸込口本体２１方向へ伝えられる。
【００４６】
このため、環状に形成される接続管側接続リング２４の下側略半分の断面積と略同一或いは、大きな断面積を呈して比較的広い断面積を有する前記接続管側接続リング２４との連設部分によって押圧力が集中することなく分散されて伝達され、従来或いは、単に２分割されたピースに比して、応力集中による破損の虞を減少させることが出来る。
【００４７】
更に、前記係止片としての接続部材１７，１７が、通常清掃状態で接続管側接続リング２４の上側外面部２４ａ又は下側外面部２４ｂに位置するように形成されているので、最も負荷の大きい部分である上下位置で、しかも、これらの接続部材１７，１７の前記突出片２４ｆ，２４ｆが前記溝部１６ｄ内に挿入嵌着されて上下に一対位置される。
【００４８】
前記突出片２４ｆ，２４ｆの前記溝部１６ｄに対する嵌合わせ精度は比較的出し易く、これらの接続管側接続リング２４と、前記吸入口体側回転管１６ａとの接続が、従来の図１６に示すようにガタ付いて間隙Ｌ１を発生させる様なことが無く、有効に押圧力を前記接続管側接続リング２４からこの接続部材１７，１７を介して吸込口本体側回転管１６ａへ伝達させることが出来る。
【００４９】
また、前記接続管側接続リング２４に対する前記下側ピース部２７の付け根部分の近傍に、該接続部材１７，１７を挿入する係止孔２４ｃ，２４ｄが位置せずに、上下に離間して形成されているため、係止孔２４ｃ，２４ｄの形成による強度の低下を抑制できる。
【００５０】
しかも、この実施の形態１では、前記下側軸受け片部２７ａ，２７ａが、通常清掃状態で前記上下方向接続部２５の大径軸部２６，２６よりも下方に位置するように構成されているので、清掃時に加わる押圧力を接続管側接続リング２４と一体に設けられたこれらの下側軸受け片部２７ａ，２７ａで直接受けるため、押圧力を受ける部材の強度を、例えば、単体で下側軸受け片部２７ａ，２７ａを構成する部材の強度よりも増大させることが出来る。
【００５１】
上述してきたように、電気掃除機に、前記吸込口本体２１の接続構造２３，２５が用いられているので、所定の強度を確保しつつ、接続部２３，２５の流路断面積を確保して、接続される吸込口本体２１の角度を、使用に適した様々な角度に変化させることが出来る。
【００５２】
【実施の形態２】
図９及び図１０は、この発明の実施の形態２の吸込口体を示している。なお、前記実施の形態１と同一乃至均等な部分については、同一符号を付して説明する。
【００５３】
まず、構成を説明すると、この実施の形態２では、下面側ピース部材１２７の下側軸受け片部１２７ａ，１２７ａが、通常清掃状態で前記上下方向回動接続部２５の回動軸部２６，２６よりも下方に位置されていて、予め別体で形成されると共に、左，右に一対形成された挿通孔１２７ｂ，１２７ｂを介して、固定ネジ部材２９，２９を上側軸受け片部１２８ａ，１２８ａが形成される上面側ピース部１２８の左右一対の雌ネジ部１２８ｂ，１２８ｂに螺着させることにより接続されている。
【００５４】
この上面側ピース部１２８は、前記接続管側接続リング２４に一体に連接されている。
【００５５】
次に、この実施の形態２の作用について説明する。
【００５６】
この実施の形態２では、前記下面側ピース部材１２７の下側軸受け片部１２７ａ，１２７ａが、通常清掃状態で前記上下方向回動接続部２５の回動軸部２６，２６よりも下方に位置するように構成されているので、この下面側ピース部材１２７に伝達された押圧力は、下側軸受け片部１２７ａ，１２７ａを介して、固定ネジ部材２９，２９から接続された上側軸受け片部１２８ａ，１２８ａを有する上面側ピース部１２８に伝達される。
【００５７】
上面側ピース部材１２８では、前記接続管側接続リング２４との連設部分へ引っ張り力として、この押圧力が働き、前記吸込口本体２１方向へ伝えられる。このため、環状に形成される接続管側接続リング２４の上側略半分の断面積と略同一或いは、大きな断面積を呈して比較的広い断面積を有する前記接続管側接続リング２４との連設部分によって、この引っ張り力が集中することなく分散伝達されて、応力集中による破損の虞を減少させることが出来る。
【００５８】
このように、実施の形態２では、前記下側ピース部材１２７が、通常清掃状態で前記上下方向接続部２５の大径軸部２６，２６よりも下方に位置するように構成されている。このため、この下側ピース部材１２７から前記接続管側接続リング２４下側後端面にも押圧力は分散されて、清掃時に加わる押圧力を直接、前記上面側ピース部材１２８の上側軸受け片１２８ａ，１２８ａでは、受けない。従って、これらの上側軸受け片１２８ａ，１２８ａと接続管側接続リング２４との連設部分、特に付け根部分に押圧力が加わるのを極力抑えることが出来、この部分の破損を防止出来る。
【００５９】
他の構成及び作用，効果は、前記実施の形態１と略同様であるので説明を省略する。
【００６０】
【発明の効果】
以上説明してきたように、請求項１の発明は、軸受け部が接続リングと一体に設けられているので、床面等への吸込口本体の押圧力は軸受け部から接続リングを介して分散されて前記吸込口本体へ伝えられる。
【００６１】
このため、従来のように、応力をネジ穴等に集中させることなく、所定の強度を確保しやすい形状とすることが出来る。
【００６２】
しかも前記接続管の一対の大径軸部が前記下面側ピース部の一対の軸受け部と上面側ピース部の一対の軸受け部との間に回転自在に保持されているので、前記接続管の前端吸込開口を広く形成しても、接続管を吸込口本体に組み付けることが出来て、流路断面積を容易に確保できる。
【００６３】
このため、接続される吸込口本体の角度の自由度が増大して、様々な角度に変化させることが出来、例えば、略直交させる等も出来る。
【００６４】
また、請求項２に記載されたものでは、請求項１記載の発明の作用，効果に加えて、前記下面側ピース部に設けられた一対の軸受け部は、前記接続管が後部上方に位置する状態で、前記大径軸部よりも下方に位置するように構成されているので、清掃時に加わる押圧力を接続リングと一体に設けられた軸受け部で直接受けるため、押圧力を受ける部材の強度を増大させることが出来る。
【００６５】
そして、請求項３に記載されたものでは、請求項１記載の発明の作用，効果に加えて、清掃時に加わる押圧力を上面側ピース部の軸受け部では直接受けないため、上面側ピース部と接続リングとの間に押圧力が加わるのを極力抑えることが出来、この部分の破損を防止出来る。
【００６６】
更に、請求項４に記載されたものでは、請求項１乃至３に記載の発明の作用，効果に加えて、前記接続管が前記大径軸部を中心に上下回動可能な状態において、前記係止孔が前記接続リングの上面又は下面に位置するように形成されているので、この部分の強度の低下を防止できる。
【００６７】
また、請求項５に記載されたものでは、電気掃除機に、前記吸込口本体の接続構造が用いられているので、所定の強度を確保しつつ、接続部の流路断面積を確保して、接続される吸込口本体の角度を様々な角度に変化させることが出来る電気掃除機が提供される、という実用上有益な効果を発揮する。
【図面の簡単な説明】
【図１】この発明の実施の形態１にかかる電気掃除機の外観を示した斜視図である。
【図２】実施の形態１の要部の分解斜視図である。
【図３】実施の形態１の要部の分解斜視図である。
【図４】実施の形態１の接続部材の上面図である。
【図５】実施の形態１の接続部材の側面図である。
【図６】実施の形態１の吸い込み口体で、図１中Ａ−Ａ線に沿った位置での一部断面上面図である。
【図７】実施の形態１の吸い込み口体で、図１中Ｂ−Ｂ線に沿った位置での一部断面側面図である。
【図８】実施の形態１の吸い込み口体で、連通管を略垂直に立てた状態を説明する図１中Ｃ−Ｃ線に沿った位置での断面図である。
【図９】実施の形態２の吸い込み口体で、要部の側面図である。
【図１０】実施の形態２の吸い込み口体で、要部の上面図である。
【図１１】一従来例の電気掃除機の斜視図である。
【図１２】一従来例の電気掃除機で使用状況を説明する側面図である。
【図１３】一従来例の電気掃除機の吸込口体で要部の分解斜視図である。
【図１４】他の従来例の電気掃除機の吸込口体で要部の斜視図である。
【図１５】一般的な従来の電気掃除機の吸込口体で要部の分解斜視図である。
【図１６】一般的な従来の電気掃除機の吸込口体の接続管要部の側面図である。
【符号の説明】
１ 掃除機本体
４，５ 延長管（連通管の一部）
２３ 左，右回転接続部
１６ａ 吸込口本体側回転管
１６ｂ 溝部
１７，１７ 接続部材（係止片）
２０ 接続管（連通管の一つ）
２１  吸込口本体
２４ 接続管側接続リング（連通管側接続リング）
２４ａ 上側外面部
２４ｂ 下側外面部
２４ｃ （上側）係止孔
２４ｄ （下側）係止孔
２５ 上下方向接続部（上下方向回動接続部）
２６，２６ 大径軸部
２７ 下面側ピース部
２７ａ，２７ａ 下側軸受け片部
２８ 上面側ピース部材（ピース）
２８ａ，２８ａ 上側軸受け片部
２９，２９ 固定ネジ部材（連結部材）
１２７ 下面側ピース部材（ピース）
１２７ｂ，１２７ｂ 下側軸受け片部
１２８ 上面側ピース部
１２８ｂ，１２８ｂ 上側軸受け片部
【図１】
0003642939.tif 000002
【図２】
0003642939.tif 000003
【図３】
0003642939.tif 000004
【図４】
0003642939.tif 000005
【図５】
0003642939.tif 000006
【図６】
0003642939.tif 000007
【図７】
0003642939.tif 000008
【図８】
0003642939.tif 000009
【図９】
0003642939.tif 000010
【図１０】
0003642939.tif 000011
【図１１】
0003642939.tif 000012
【図１２】
0003642939.tif 000013
【図１３】
0003642939.tif 000014
【図１４】
0003642939.tif 000015
【図１５】
0003642939.tif 000016
【図１６】
0003642939.tif 000017